(57)【要約】【課題】どのような重心位置を有する偏重心ディスクであっても、回転時に発生する振動を抑制し得る光ディスク装置を構成する。【解決手段】筐体１は下辺側に複数の嵌合凹部１２ａ〜１２ｆが形成された貫通溝１２を備えている。板バネ１１は、その一方の端部付近を筐体１の貫通溝１２に形成された嵌合凹部に嵌合し、他方の端部はシャーシ２の上面に接触している。ユーザが光ディスク１００を挿入すると、スピンドルモータ４が回転し、振動が発生するとシャーシ２の備え付けられた振動検出センサ１０が振動を検出して振動検出信号を発生し、筐体１の前面に備えられたＬＥＤ１３を点灯させる。ユーザがこのＬＥＤ１３の点灯状態を確認しながら、振動が抑制される嵌合凹部に板バネ１１を嵌合させる。【選択図】  図１
2004288320.tif 000002
【特許請求の範囲】
【請求項１】
光ディスクの記録面にレーザ光を照射して、その反射光を受光する光ピックアップ手段を備えたシャーシ部と、該シャーシ部を振動緩衝手段を介し固定して収納する筐体と、該筐体と前記シャーシ部との間に配置され、該シャーシ部の振動を抑制する板バネとを備えた光ディスク装置において、
前記振動を検出して振動検出信号を出力する振動検出手段と、該振動検出手段の振動検出信号レベルに応じて発光する発光手段とを備え、
前記振動検出信号に基づく発光手段の発光状態に応じて、
（１）前記筐体に前記板バネを前記シャーシの幅方向に連続的に移動させて固定する板バネ移動手段を備え、前記筐体の前面に露出する操作手を操作することにより、トラバース機構部を介して前記板バネ移動手段を駆動して前記板バネの位置を移動させるか、
（２）または、前記筐体に前記板バネを前記シャーシ部の幅方向に所定間隔で移動させて固定する複数の嵌合凹部を備えた貫通溝を形成し、前記板バネを、前記貫通溝内で移動させて前記嵌合凹部のいずれかに嵌合させる、
ことにより、前記シャーシ部の振動が抑制される位置に前記板バネを固定することを特徴とする光ディスク装置。
【請求項２】
光ディスクの記録面にレーザ光を照射して、その反射光を受光する光ピックアップ手段を備えたシャーシ部と、該シャーシ部を振動緩衝手段を介し固定して収納する筐体と、該筐体と前記シャーシ部との間に配置され、該シャーシ部の振動を抑制する板バネとを備えた光ディスク装置において、
前記振動を検出して振動検出信号を出力する振動検出手段と、前記板バネの位置を移動させる板バネ移動手段と、該板バネ移動手段を電気的に駆動する駆動手段とを備え、
前記駆動手段は、前記振動検出手段の振動検出信号を最小にするように前記板バネ移動手段を駆動するか、
または、前記駆動手段には、前記振動検出信号に基づき前記板バネ移動手段を駆動するかどうかを決定する閾値が記憶されており、前記振動検出信号が前記閾値よりも大きい場合に、前記駆動手段は前記振動検出信号を前記閾値以内に抑制するように前記板バネ移動手段を駆動することを特徴とする光ディスク装置。
【請求項３】
光ディスクの記録面にレーザ光を照射して、その反射光を受光する光ピックアップ手段を備えたシャーシ部と、該シャーシ部を振動緩衝手段を介し固定して収納する筐体と、該筐体と前記シャーシ部との間に配置され、該シャーシ部の振動を抑制する板バネとを備えた光ディスク装置において、
前記板バネは前記シャーシ部に対して移動自在に取り付けられていることを特徴とする光ディスク装置。
【請求項４】
前記シャーシ部には該シャーシ部の振動を検出し、振動検出信号を出力する振動検出手段が備えられており、
前記振動検出信号に基づいて、前記シャーシ部の振動が抑制される位置に前記板バネが移動、固定されている請求項３に記載の光ディスク装置。
【請求項５】
前記筐体には前記板バネに接続し、該板バネを連続的に移動させて固定する板バネ移動手段が備えられており、
該板バネ移動手段を駆動して、前記板バネを前記シャーシの振動が抑制される位置に移動させ、固定する請求項３または請求項４に記載の光ディスク装置。
【請求項６】
前記筐体には、該筐体の外面に露出する操作手と、該操作手の動きを前記板バネ移動手段に伝達するトラバース機構部とが備えられており、
前記操作手を操作することで前記板バネ移動手段を駆動する請求項５に記載の光ディスク装置。
【請求項７】
前記操作手は前記筐体の前面に露出している請求項６に記載の光ディスク装置。
【請求項８】
前記筐体には前記シャーシの幅方向に所定間隔で前記板バネを嵌合する複数の嵌合凹部を備えた貫通溝が形成されており、
前記板バネを前記貫通溝内を移動させて前記嵌合凹部に嵌合することにより固定する請求項３または請求項４に記載の光ディスク装置。
【請求項９】
前記板バネ移動手段を電気的に駆動する駆動手段を備え、
該駆動手段は、前記振動検出信号に基づいて、前記シャーシ部の振動を抑制するように前記板バネ移動手段を駆動する請求項４または請求項５に記載の光ディスク装置。
【請求項１０】
前記駆動手段は、前記振動検出信号に基づいて、前記シャーシ部の振動が最小となるように前記板バネ移動手段を駆動する請求項９に記載の光ディスク装置。
【請求項１１】
前記駆動手段は、前記振動検出信号に基づき前記板バネ移動手段を駆動するかどうかを決定する閾値を記憶しており、
前記振動検出信号が前記閾値よりも大きい場合に、前記駆動手段は前記板バネ移動手段を駆動する請求項９に記載の光ディスク装置。
【請求項１２】
前記駆動手段は、常時、前記振動検出信号を検出し、該振動検出信号が前記閾値以下となるように前記板バネ移動手段を駆動し続ける請求項１１に記載の光ディスク装置。
【請求項１３】
前記振動検出信号レベルに応じて発光する発光手段を備えた請求項４〜請求項１２のいずれかに記載の光ディスク装置。
【発明の詳細な説明】
【０００１】
【発明の属する技術分野】
この発明は、コンパクトディスク等の光ディスクに記録されているデータを再生する光ディスク装置、特に振動抑制手段を備えた光ディスク装置に関するものである。
【０００２】
【従来の技術】
光ディスク装置は、コンパクトディスク等の光ディスクに記憶されているデータを所定の角速度で回転させながら、光ディスクの記録面にレーザ光を照射して、その反射光により記憶されているデータを光データとして読み取り、所定形式のデータに変換して出力する。
【０００３】
このような光ディスク装置のデータ読み取り機構について図を参照して説明する。
図７は光ディスク装置の主要部の構造を示す上面断面図および側面断面図である。
図７において、１は筐体、２はシャーシ、３は光ピックアップ、４はスピンドルモータ、５はターンテーブル、６はガイド、７はダンパ、８はチャッキング部品、５０はトレイ、１００はコンパクトディスク（ＣＤ）等の光ディスクである。
【０００４】
ユーザがトレイ５０に光ディスク１００を設置し、筐体１内に挿入すると、トレイ５０が所定位置まで移動するとともに、スピンドルモータ４や光ピックアップ３が備えられたシャーシ２が所定位置に移動する。この動作により、ターンテーブル５とチャッキング部品８とで光ディスク１００の中心を挟み込み保持する。次に、スピンドルモータ４が動作し、ターンテーブル５を回転させることで光ディスク１００を所定の角速度で回転させる。この回転と同時に、光ピックアップ３は、光ディスク１００の記録面にレーザ光を照射し、光ディスク１００の記録面からの反射光を受光し、フォトセンサ等の光−電気変換手段によりディジタルデータに変換して出力する。このようにして、光ディスク１００に記録された情報をディジタルデータとして読み取る。
【０００５】
また、光ディスク装置には、シャーシ２から筐体１に伝搬する振動や、筐体１からシャーシ２に伝搬する振動を抑制するダンパ７がシャーシ２と筐体１との間に設置されている。
【０００６】
このような光ディスク装置ではスピンドルモータ４を回転させることにより振動が生じる。特に、偏重心ディスクを回転させると、重心が中心から偏っていることにより振動は大きくなる。
【０００７】
この振動はシャーシ２を介して光ピックアップ３に伝搬されるため、振動が大きくなると光ピックアップ３と光ディスク１００の記録面との位置関係が不安定になり、安定して光ディスク１００からデータを読み取ることが難しくなる。
【０００８】
さらに、一般に光ディスク装置は、データ読み取り速度を高速化するため、光ディスク１００の回転速度を高速化している。このため、スピンドルモータ４の回転速度が速くなり、偏重心ディスクを再生する場合、さらに振動が大きくなってしまい、読み取り動作の不安定性が増加する。
【０００９】
また、この振動は筐体１にも伝搬して筐体１で異音が発生する。
【００１０】
このようなディスクの回転による振動の問題を解決する方法として、光ピックアップとスピンドルモータとを備えたシャーシと筐体との間にダンパ等の振動緩衝手段を備えるとともに、シャーシを筐体に板バネで固定することで、振動を抑制する光ディスク装置がある（例えば、特許文献１参照。）。
【００１１】
また、光ピックアップとスピンドルモータとを備えたシャーシをインシュレータを介して筐体に固定する光ディスク装置もある（例えば、特許文献２参照。）。
【００１２】
さらには、振動検出手段を備え、ディスクの回転による振動を検出し、振動の大きさに応じてスピンドルモータを制御して回転速度を低下させることで、振動を抑制する光ディスク装置もある（例えば、特許文献３参照。）。
【００１３】
【特許文献１】
実公昭６３−１７６９９０号公報
【特許文献２】
特開２０００−９０６５５号公報
【特許文献３】
特開平１０−６４１７５号公報
【００１４】
【発明が解決しようとする課題】
ところが、従来の光ディスク装置や、特許文献２の光ディスク装置では、スピンドルモータが備えられたシャーシから筐体に伝搬される振動や、逆に筐体からシャーシに伝搬される振動を抑制することはできるが、シャーシ自体の振動を抑制することはできない。このため、スピンドルモータとともにシャーシに備えつけられている光ピックアップにスピンドルモータの回転により発生する振動が伝搬されることを抑制することはできない。
【００１５】
また、特許文献３の光ディスク装置では、振動の大きさに応じて回転速度を制御することにより振動を抑制することができるが、振動が大きくなればそれを制御するため回転速度を遅くしなければならず、読み取り速度が低下する。
【００１６】
また、特許文献１の光ディスク装置では、シャーシを筐体に板バネで固定することによりシャーシの振動を抑制することができる。
【００１７】
しかしながら、偏重心ディスクは、それぞれのディスクにより重心の位置が異なるため、発生する振動もそれぞれのディスクにより異なる。このため、板バネの設置位置によっては、振動を抑制することができない場合がある。また、板バネを複数設置してシャーシを筐体に固定すると、ディスクの回転による複数種類の振動を抑制することができるが、設置する板バネの数が増加すれば、その分だけシャーシが筐体に強く固定される。このため、板バネとは別にシャーシと筐体との間に設置された振動抑制手段が作用しなくなり、筐体からシャーシに伝搬される振動を抑制することができない。
【００１８】
この発明の目的は、どのような重心位置を有する偏重心ディスクであっても、回転速度を低下させることなく、回転時に発生する振動を抑制することができる光ディスク装置を構成することにある。
【００１９】
【課題を解決するための手段】
この発明の光ディスク装置は、光ディスクの記録面にレーザ光を照射して、その反射光を受光する光ピックアップ手段を備えたシャーシ部と、該シャーシ部を振動緩衝手段を介し固定して収納する筐体と、該筐体とシャーシ部との間に配置され、該シャーシ部の振動を抑制する板バネとを備えた光ディスク装置において、板バネの固定位置をシャーシ部に対して移動自在に取り付けられていることを特徴としている。
【００２０】
この構成では、板バネの位置がシャーシ部に対して移動自在であることから、再生する光ディスクの振動に応じて、該振動を抑制する位置に板バネを設置することができる。
【００２１】
また、この発明の光ディスク装置は、シャーシ部に該シャーシ部の振動を検出して振動検出信号を出力する振動検出手段を備えており、該振動検出手段の振動検出信号に基づいて、シャーシ部の振動が抑制される位置に板バネが固定されていることを特徴としている。
【００２２】
この構成では、振動検出手段によりシャーシ部の振動が検出されるので、この振動検出信号を利用して、板バネの設置位置を調整することができる。
【００２３】
また、この発明の光ディスク装置は、板バネに接続し、板バネの位置をシャーシの幅方向に連続的に移動させて固定する板バネ移動手段を備えたことを特徴としている。
【００２４】
この構成では、板バネ移動手段を駆動することにより、これに接続している板バネを所定方向に連続的に移動させることができるので、板バネ移動手段で板バネを移動し得る範囲内で板バネ固定位置を任意に設定することができる。
【００２５】
また、この発明の光ディスク装置は、筐体の外面に露出する操作手と、この操作手の動きを板バネ移動手段に伝達するトラバース機構部とを備えたことを特徴としている。また、この操作手を筐体の前面に露出させたことを特徴としている。
【００２６】
この構成では、筐体から露出している操作手により筐体内部に備えられた板バネ移動手段をトラバース機構部を介して操作することができる。例えば、板バネ移動手段が筐体内の後部に設置されている場合に、操作手を筐体の前面に露出するように設置し、操作手と板バネ移動手段とをトラバース機構部で接続することにより、ユーザは容易に板バネの位置を調整することができる。
【００２７】
また、この発明の光ディスク装置は、筐体にシャーシの幅方向に所定間隔で板バネを嵌合する複数の嵌合凹部を備えた貫通溝を形成していることを特徴としている。
【００２８】
この構成では、筐体に板バネと嵌合する複数の嵌合凹部を備えた貫通溝を設け、シャーシ部と筐体とをいずれかの嵌合凹部を用いて固定することにより、シャーシ部の振動に応じて板バネを固定する嵌合凹部を選択することができる。すなわち、振動検出信号に基づいて板バネの固定位置を移動させることで、振動を抑制することができる。また、筐体に設けられた貫通溝のみで板バネを移動、固定するので、簡素な構造で振動を抑制することができる。
【００２９】
また、この発明の光ディスク装置は、板バネ移動手段を電気的に駆動する駆動手段を備え、該駆動手段は、前記振動検出信号に基づいて、シャーシ部の振動を抑制するように板バネ移動手段を駆動することを特徴としている。
【００３０】
この構成では、駆動手段にモータ等の電気的な駆動手段を用いる。駆動手段は、シャーシ部の振動に応じて発生する振動検出信号を検出し、この振動検出信号に基づいて板バネの位置を変更する板バネ移動手段を駆動し、シャーシ部の振動を抑制する位置に板バネを移動させる。
【００３１】
また、この発明の光ディスク装置の駆動手段は、振動検出信号に基づいて、シャーシ部の振動が最小となる位置に板バネが移動するように板バネ移動手段を駆動することを特徴としている。
【００３２】
この構成では、駆動手段は、シャーシ部の振動に応じて発生する振動検出信号を検出し、この振動検出信号に基づいて振動が最小となる位置に板バネを移動させるように板バネ移動手段を駆動する。
【００３３】
また、この発明の光ディスク装置の駆動手段は、振動検出信号に基づき板バネ移動手段を駆動するかどうかを決定する閾値が記憶されており、振動検出信号が前記閾値よりも大きい場合に、板バネ移動手段を駆動することを特徴としている。
【００３４】
この構成では、駆動手段は、ディスク再生時に許容し得る振動の大きさに応じて振動検出信号の閾値を予め記憶しておき、振動検出信号を検出して、この振動検出信号が閾値内に収まる位置に板バネを移動させるように板バネ移動手段を駆動する。
【００３５】
また、この発明の光ディスク装置の駆動手段は、振動検出信号をディスク再生中に検出し続け、振動検出信号が閾値以下となるように常時板バネ移動手段を駆動し続けることを特徴としている。
【００３６】
この構成では、駆動手段は、ディスク再生中に、振動検出信号を検出し続けて、この振動検出信号が閾値内に収まる位置に板バネを移動させるように常時板バネ移動手段を駆動する。
【００３７】
また、この発明の光ディスク装置は、振動検出信号レベルに応じて発光する発光手段を備えたことを特徴としている。
【００３８】
この構成では、発光手段は入力される振動検出信号レベルに応じて、点灯、点滅等を行う。この発光状態の変化を前記閾値に対向させることにより、振動検出信号が、例えば、閾値以下であり、ディスク再生に対する回転による振動の影響が許容範囲にあるか、閾値よりも大きく、ディスク再生に対する回転による振動の影響が許容し得ない範囲にあるか等の異なる場合に応じて、発光手段の発光を異ならせる。
【００３９】
【発明の実施の形態】
本発明の第１の実施形態に係る光ディスク装置について図１および図２を参照して説明する。
図１は本実施形態に係る光ディスク装置の主要部の構造を表す上面断面図、側面断面図、前面図、および後面図である。また、図２はＬＥＤ発光制御を行う系の概要ブロック図である。
【００４０】
図１に示すように、本実施形態に係る光ディスク装置は、筐体１と、該筐体１内の所定位置に配置されたシャーシ２と、光ディスク１００を筐体１の前面側から挿入するトレイ５０とを備える。
【００４１】
シャーシ２には、スピンドルモータ４と光ディスク１００の中心を支持するターンテーブル５と、光ディスク１００の記録面にレーザ光を照射してその反射波を受光することで、記録された情報を読み取る光ピックアップ３と、該光ピックアップ３を光ディスク１００の直径方向に移動させるガイド６と、シャーシ２の振動を検出して振動検出信号を出力する振動検出センサ１０とが備えられている。
【００４２】
筐体１には、光ディスク１００に対してシャーシ２のターンテーブル５に対向する位置に、チャッキング部品８が備えられている。また、筐体１の前面には、振動検出センサ１０からの振動検出信号に応じて点滅するＬＥＤ１３と、トレイ５０を筐体１の内外に移動させるスイッチである開閉釦５２とが備えられている。さらに、筐体１の後面には、光ピックアップ３で読み出したディジタルデータを外部に出力するコネクタ５１と、下辺側にシャーシ２の幅方向へ所定間隔で複数の嵌合凹部１２ａ〜１２ｆが形成された貫通溝１２とが備えられている。
【００４３】
板バネ１１は、その一方の端部付近を筐体１の溝１２に形成された嵌合凹部（本実施形態では凹部１２ｃ）に嵌合し、他方の端部はシャーシ２の上面に接触している。
【００４４】
このような光ディスク装置のディスク再生動作について示す。
【００４５】
ユーザが、トレイ５０に光ディスク１００を置き、筐体１内に挿入すると、トレイ５０は所定位置まで移動するとともに、スピンドルモータ４や光ピックアップ３が備えられたシャーシ２が所定位置まで上昇する。この動作により、ターンテーブル５とチャッキング部品８とで光ディスク１００の中心を挟み込み保持する。次にスピンドルモータ４が動作し、ターンテーブル５を回転させることで光ディスク１００を所定の角速度で回転させる。この回転と同時に、光ピックアップ３は、ガイド６により移動しながら、光ディスク１００の記録面にレーザ光を照射して光ディスク１００の記録面からの反射光を受光し、フォトセンサ等の光−電気変換手段によりディジタルデータに変換する。このディジタルデータは、図示されていない制御部により、所定形式に変換されて、コネクタ５１を介して外部に出力される。
【００４６】
このような光ディスク装置では、光ディスク再生の際に、スピンドルモータ４から発生する振動を筐体１に伝搬することを抑制するとともに、筐体１を介して外部で発生して振動をシャーシ２に伝搬することを抑制するダンパ７が、シャーシ２と筐体１との間に備えられている。
【００４７】
また、板バネ１１が筐体１の貫通溝１２の嵌合凹部１２ｃに嵌合されるととともにシャーシ２の上面に接触することで、光ディスク再生の際にスピンドルモータ４から発生するシャーシ２の振動を抑制している。
【００４８】
このような光ディスク装置に偏重心ディスクが挿入されると、板バネ１１の設置位置によっては、該ディスクの回転時に、ディスクの重心の偏りによりスピンドルモータ４から振動が生じる。スピンドルモータ４で発生した振動はシャーシ２に伝搬され、振動検出センサ１０により振動が検出される。
【００４９】
振動検出センサ１０は、圧電素子を備えており、圧電素子が振動により外力を受けると、この外力、すなわち振動の大きさに応じて電流（振動検出信号）を発生する。振動検出センサ１０から出力された電流（振動検出信号）は、ＬＥＤ１３に入力され、ＬＥＤ１３は入力された電流量（振動検出信号レベル）に応じて発光する。このように発光することで、ユーザはシャーシ２が振動していることを認識することができる。
【００５０】
ここで、図２に示すように、ＬＥＤ発光制御部２０を設け、振動検出センサ１０からの電流（振動検出信号）をＬＥＤ発光制御部２０に入力させてもよい。ＬＥＤ発光制御部２０には、予めディスク再生動作が可能である振動に対する電流量（振動検出信号レベル）が閾値として記憶されている。そして、ＬＥＤ発光制御部２０に接続するＬＥＤを異なる発光色を有する複数（例えば、赤色と緑色）の単体ＬＥＤ１３ａ，１３ｂで構成しておく。ＬＥＤ発光制御部２０は、入力された電流量（振動検出信号レベル）に応じて、例えば、電流量（振動検出信号レベル）が閾値以下であれば緑色ＬＥＤ１３ａを点灯させ、ディスク再生が可能であることを表示し、電流量（振動検出信号レベル）が閾値より大きければ赤色ＬＥＤ１３ｂを点灯させ、この振動状態ではディスク再生に影響が生じることを表示する。このように、ＬＥＤの発光状態を異ならせることにより、ユーザは容易に振動の大きさを確認できるとともに、ディスク再生可能な状態であるかどうかを確認できる。
【００５１】
この光ディスク装置の振動調整方法について、次に示す。ここで、ＬＥＤはＬＥＤ発光制御部２０により発光制御される場合を示す。
【００５２】
ユーザがトレイ５０に光ディスク１００を配置して筐体１内に挿入すると、上述のように光ディスク１００はターンテーブル５とチャッキング部品８とにより保持される。次に、スピンドルモータ４が駆動し、光ディスク１００を所定の角速度で所定時間回転させるとともに、光ピックアップ３が光ディスク１００の所定位置にレーザを照射し、その反射光を受光することで、ＴＯＣ情報を読み取る。
【００５３】
このＴＯＣ情報読み取り時の振動を振動検出センサ１０が検出して、振動検出信号をＬＥＤ発光制御部２０に出力し、この振動検出信号レベルに応じてＬＥＤ発光制御部２０はＬＥＤを所定状態に発光させる。
【００５４】
ユーザは、ＬＥＤの発光状態を確認して、緑色ＬＥＤ１３ａが発光していれば、そのまま再生操作を行い、光ディスク１００を再生する。
【００５５】
一方、赤色ＬＥＤ１３ｂが発光していれば、ユーザは、板バネ１１を現状の嵌合位置（嵌合凹部１２ｃ）から貫通溝１２を通して他の凹部（例えば、１２ｂ等）に嵌合しなおす。そして、開閉釦５２を二度押して、再度ＴＯＣ読み取り動作を行う。そして、ユーザは、再度ＬＥＤの発光状態を確認する。そして、赤色ＬＥＤ１３ｂが点灯していれば、再度板バネ１１の嵌合位置を変更し、上述の操作を繰り返す。このようにして、緑色ＬＥＤ１３ａが発光するまで、板バネ１１の嵌合位置を変更することにより、スピンドルモータ４により発生する振動を光ディスク１００の再生に影響しないレベルにまで抑制することができる。
【００５６】
また、ここで、板バネ１１を貫通溝１２の全ての嵌合凹部１２ａ〜１２ｆに嵌合しても赤色ＬＥＤ１３ｂが発光すれば、光ディスク１００の重心が偏りすぎているため、この光ディスク装置では再生できない可能性が大きいことをユーザに知らせることができる。
【００５７】
なお、本実施形態では、ＴＯＣ情報の読み取り時の振動を検出して、光ピックアップを備えるシャーシの振動調整を行ったが、振動調整のために光ディスクを回転させる機能を光ディスク装置に付加してもよい。この機能としては、振動調整用回転開始、停止操作手段を設け、一度操作を行うと、光ディスクの回転を開始し、再度操作を行うと光ディスクの回転を停止するようなものである。この機能を設けることで、光ディスクを回転させ続けながら、板バネの嵌合位置を変更することができる。これにより、ユーザは光ピックアップを備えるシャーシの振動を抑制する調整を容易に行うことができる。
【００５８】
また、本実施形態では、ＬＥＤ発光制御部に二つの異なるＬＥＤを接続した場合を説明したが、ＬＥＤが一つの場合にも、点灯、点滅、消灯、や点滅速度の変更により、振動レベルを表示することができる。例えば、前記閾値に対して十分許容できるレベルの小さい振動であれば点灯、閾値に近く許容できるレベルの振動であれば遅い点滅、閾値に近いが許容できないレベルの振動であれば早い点灯、閾値に対して十分に大きなレベルの振動であれば消灯する等のようにＬＥＤの発光状態を制御してもよい。
【００５９】
次に、第２の実施形態に係る光ディスク装置について図３を参照して説明する。
図３は本実施形態に係る光ディスク装置の主要部の構造を表す上面断面図、側面断面図、および前面図である。
図３において、１４は本発明の板バネ移動手段に対応するリードスクリュー、１５はトラバース機構部、１６はギア、１７は本発明の操作手に対応する調整用ビス、１８は板バネ固定治具、１９は板バネ用ガイドである。また、この他の構成で、図１に示した光ディスク装置と同じものには、同じ符号を付している。
【００６０】
この光ディスク装置では、板バネ１１は板バネ固定治具１８に固定されており、この板バネ固定治具１８の歯がリードスクリュー１４の溝に嵌り込んでいる。筐体１には、リードスクリュー１４が回転可能に固定される固定台が備えられており、リードスクリュー１４がこの固定台により固定されている。このようにして、板バネ１１は筐体１に固定される。
【００６１】
リードスクリュー１４の一方の端部にはギアが設けられており、このギアがギア１６に接続されている。またギア１６は、トラバース機構部１５の一方の端部に備えられたギアにも接続されており、トラバース機構部１５の回転運動をリードスクリュー１４の回転運動に変換する。トラバース機構部１５のギアを備えた端部に対向する端部には調整用ビス１７が備えられており、調整用ビス１７の端面は筐体１の前面に露出している。
【００６２】
板バネ１１の位置を調整する場合、ユーザは調整用ネジ１７を回転させる。調整用ネジ１７が回転することにより、トラバース機構部１５が回転し、端部のギアが回転する。このギアが回転することでギア１６が回転し、リードスクリュー１４に備えられたギアが回転する。そして、このギアが回転するとリードスクリュー１４が回転する。リードスクリュー１４が回転すると、溝に嵌り込んだ板バネ固定治具１８の歯が溝に沿って移動して、板バネ１１が移動する。ここで、板バネ１１にはガイド貫通孔が設けられており、この貫通孔にシャーシ２の横方向へ軸方向を有する板バネ用ガイド１９が貫通している。これにより、板バネ１１はリードスクリュー１４の回転に応じてシャーシ２の横方向に移動する。
【００６３】
このような構成とすることで、板バネの設置位置をリニア（連続的）に移動させることができる。すなわち、板バネ設置位置の微調整を行うことができる。これにより、板バネを、振動が抑制される位置に高精度に設置することができる。また、振動が最小になる位置に高精度に板バネを設置することができる。
【００６４】
なお、本実施形態では、トラバース機構部を用いて調整用ビスを筐体の前面に露出させたが、筐体の上面、下面、側面、および後面に調整用ビスを露出させる構造をとってもよい。しかし、調整用ビスを筐体の前面に露出させることにより、ユーザはＬＥＤの発光状態を確認しながら容易に板バネの調整を行うことができる。また、本光ディスク装置をパソコン等に搭載する場合にも、搭載後のいつでも板バネ設置位置を調整することができる。これにより、ディスク毎にその重心位置が異なる偏重心ディスクのそれぞれに対して、該ディスクを再生する際に容易に板バネ設置位置を調整し、振動を抑制することができる。
【００６５】
次に、第３の実施形態に係る光ディスク装置について図４、図５、および図６を参照して説明する。
図４は本実施形態に係る光ディスク装置の主要部の構造を表す上面断面図、側面断面図である。
図５は振動抑制機構の主要部を表すブロック図であり、図６は制御部４０での振動抑制動作のフローを表すフロー図である。
【００６６】
図４において、３０はリードスクリュー１４の一端に備えられた、リードスクリュー用モータである。このリードスクリュー用モータ３０は、図５に示すように制御部（マイコン）４０に接続している。これらリードスクリュー用モータ３０と制御部４０とが本発明の駆動手段に対応する。また、制御部４０は振動検出センサ１０およびＬＥＤ１３にも接続しており、振動検出センサ１０からの振動検出信号レベルに応じて、リードスクリュー用モータ３０およびＬＥＤ１３を制御する。
なお、この他の構成で、図３に示した光ディスク装置と同じものには、同じ符号を付している。
【００６７】
このような光ディスク装置における振動抑制方法について説明する。
【００６８】
ユーザが光ディスク１００をトレイ５０に配置して筐体１内に挿入すると、制御部４０はディスク回転制御信号をスピンドルモータ４に出力し、スピンドルモータ４を所定の角速度で回転させる（ｓ１）。挿入した光ディスク１００が偏重心ディスクであると、スピンドルモータ４が回転することにより光ディスク１００が回転して振動が発生する。発生した振動がシャーシ２を伝搬して振動検出センサ１０で検出され、振動検出センサ１０は振動検出信号を制御部４０に出力する。制御部４０は、入力された振動検出信号のレベルを測定して（ｓ２）、該信号レベルが予め記憶されている閾値以下かどうかを判定する（ｓ３）。ここで、閾値とは、振動検出信号レベルがこの閾値よりも大きい場合にディスク再生に対して振動が影響を与える可能性が大きいことを示す信号レベルである。
【００６９】
そして、振動検出信号レベルが閾値以下の場合には、制御部４０は振動抑制動作、すなわち、板バネの設置位置の調整を行わない。
一方、振動検出信号レベルが閾値よりも大きい場合には、制御部４０は、所定量回転するようにリードスクリュー用モータ３０に制御信号を出力する（ｓ４）。リードスクリュー用モータ３０は、この制御信号により所定角回転し、この回転がリードスクリュー１４に伝達される。リードスクリュー１４が回転することにより、上述の第２の実施形態に示したように、板バネ１１がシャーシ２の横方向に移動する。
【００７０】
板バネ１１が移動したことにより振動の大きさが変化するので、制御部４０はこの振動による振動検出信号のレベルを測定し、再度閾値と比較する。この動作を繰り返し、振動検出信号レベルが閾値以下になれば、これらの制御を停止する。
【００７１】
なお、制御部４０は、上述の振動抑制動作とともに、ＬＥＤ１３に対してＬＥＤ発光制御信号を出力し、ＬＥＤ１３は、第１の実施形態に示したように、振動検出信号レベルに応じて発光する。
【００７２】
ところで、上述の振動抑制動作では、振動検出信号レベルが予め記憶された閾値以下になるように制御するものであるが、振動検出信号レベルが最小となる位置に板バネを設置する制御を行ってもよい。
【００７３】
この場合、制御部はＴＯＣ読み取り時等のディスク回転時に板バネを移動可能な全幅に移動させながら、振動検出信号レベルが最小となる位置を検出し、リードスクリュー用モータ３０およびリードスクリュー１４を介して該位置に板バネを移動させる。
【００７４】
また、上述の振動抑制動作は、ＴＯＣ読み取り時にのみ行っているが、一旦、板バネの設置位置を決定した後、ディスク再生時に常時行ってもよい。
【００７５】
ディスク再生時に行う場合には、制御部４０は、常時、振動検出信号レベルを測定し、所定の閾値以下にする制御をリードスクリュー用モータ３０に行う。リードスクリュー用モータ３０はこの制御信号を受け、リードスクリュー１４を回転させて、板バネ１１の位置を随時調整する。
【００７６】
このような構成とすることで、挿入される偏重心ディスクに応じてシャーシの振動が自動で抑制されるので、光ピックアップで正確にデータ読み取りを行うことができる。すなわち、挿入される偏重心ディスクに応じて、確実にディスク再生を行うことができる。
【００７７】
また、ユーザは、挿入する偏重心ディスク毎に振動抑制作業を行うことなく、確実なディスク再生を容易に行うことができる。
【００７８】
なお、上述の各実施形態において、振動検出センサはシャーシにおけるスピンドルモータに近い位置に設置しているが、シャーシに備え付けられてあればよい。また、光ピックアップに備え付けられてもあってもよく、これにより、さらに、光ピックアップに影響する振動を正確に検出することができる。
【００７９】
また、上述の実施形態においては、発光手段としてＬＥＤを用いているが、他の発光素子を用いてもよく、さらには、表示手段を備えることにより、振動レベルをキャラクター表示してもよい。
【００８０】
【発明の効果】
この発明の光ディスク装置によれば、板バネの位置をシャーシ部に対して移動可能に取り付けることができるので、再生する光ディスクによる振動に応じて、該振動を抑制する位置に板バネを設置することができる。
【００８１】
また、この発明の光ディスク装置によれば、振動検出センサによりシャーシ部の振動を検出し、この検出信号により板バネの設置位置を調整することができる。
【００８２】
また、この発明の光ディスク装置によれば、板バネを連続的に移動させることができるリードスクリューを筐体に備えることで、シャーシ部に対する板バネの固定位置を任意に設定することができる。
【００８３】
また、この発明の光ディスク装置によれば、調整用ネジ等の筐体から露出する操作手によりトラバース機構部を介してリードスクリューを操作することができるので、ユーザは振動検出センサからの振動検出信号に基づいて、操作手を介してリードスクリューを容易に操作することができる。さらに、操作手である調整用ネジを筐体の前面に露出するように設置することにより、本光ディスク装置をパソコン等に組み込んだ後にも、ユーザは容易に板バネの位置を調整することができる。
【００８４】
また、この発明の光ディスク装置によれば、筐体に板バネを嵌め込む複数の嵌合凹部を備えた貫通溝を設けることで、シャーシ部と筐体とをいずれかの嵌合凹部で固定することができるので、シャーシ部の振動に応じて板バネを固定する嵌合凹部を選択することができる。すなわち、振動検出センサからの振動検出信号に基づいて板バネの固定位置を移動させ、振動を抑制することができる。また、筐体に設けられた貫通溝のみで板バネの固定位置を変更することで、簡素な構造で振動を抑制する光ディスク装置を構成することができる。
【００８５】
また、この発明の光ディスク装置によれば、振動検出信号に基づいて、リードスクリュー用モータでリードスクリューを動作させることにより、シャーシ部の振動を抑制する位置に自動的に板バネを調整することができる。
【００８６】
また、この発明の光ディスク装置によれば、シャーシ部の振動が最小となる位置に板バネを自動で移動し固定することで、再生するディスク毎に、光ピックアップに対するディスクの回転による振動の影響を最小に抑制することが容易にできる。
【００８７】
また、この発明の光ディスク装置によれば、ディスク再生時に許容し得る振動の大きさに応じた振動検出信号に対する閾値を記憶しておき、この閾値内に振動検出信号が収まる位置に板バネを移動させることにより、閾値で決められた所定の範囲内に板バネを移動させればよいので、容易に且つ素早く板バネの位置を調整することができる。
【００８８】
また、この発明の光ディスク装置によれば、ディスク再生中に振動検出信号が閾値以下となる位置に板バネを移動し続けるので、光ピックアップが再生中のディスクのどの位置に対して読み取りを行っても、常に、光ピックアップに対するディスクの回転による振動の影響を最小に抑制することができる。
【００８９】
また、この発明の光ディスク装置によれば、出力信号が、閾値以下であり、ディスク再生に対する回転による振動の影響が許容範囲にあるか、閾値よりも大きく、ディスク再生に対する回転による振動の影響が許容し得ない範囲にあるかに応じて、ＬＥＤの発光を異ならせることにより、ユーザは容易に振動の大きさを確認することができるとともに、ディスク再生可能な状態であるかどうかを確認することができる。
【図面の簡単な説明】
【図１】第１の実施形態に係る光ディスク装置の主要部の構造を表す上面断面図、側面断面図、前面図、および後面図
【図２】ＬＥＤ発光制御を行う系の概要ブロック図
【図３】第２の実施形態に係る光ディスク装置の主要部の構造を表す上面断面図、側面断面図、および前面図
【図４】第２の実施形態に係る光ディスク装置の主要部の構造を表す上面断面図、側面断面図
【図５】振動抑制機構の主要部を表すブロック図
【図６】制御部での振動抑制動作のフローを表すフロー図
【図７】従来の光ディスク装置の主要部の構造を表す上面断面図、および側面断面図
【符号の説明】
１−筐体
２−シャーシ
３−光ピックアップ
４−スピンドルモータ
５ーターンテーブル
６−ガイド
７−ダンパ
８−チャッキング部品
１０−振動検出センサ
１１−板バネ
１２−貫通溝
１２ａ〜１２ｆ−貫通溝１２に設けられた嵌合凹部
１３，１３ａ，１３ｂ−ＬＥＤ
１４−リードスクリュー
１５−トラバース機構部
１６−ギア
１７−調整用ビス
１８−板バネ固定治具
１９−板バネ用ガイド
２０−ＬＥＤ発光制御部
３０−リードスクリュー用モータ
４０−制御部
５０−トレイ
５１−コネクタ
５２−開閉釦
１００−光ディスク
【図１】
2004288320.tif 000003
【図２】
2004288320.tif 000004
【図３】
2004288320.tif 000005
【図４】
2004288320.tif 000006
【図５】
2004288320.tif 000007
【図６】
2004288320.tif 000008
【図７】
2004288320.tif 000009